(57)【特許請求の範囲】
【請求項１】
中低層集合住宅に隣接して昇降路が設置され、階間に位置する階段の踊り場に乗場が設けられる中低層集合住宅用エレベータ装置において、
上記昇降路と上記踊り場との間には、乗場連結部が架設されており、
上記乗場連結部と上記昇降路及び上記踊り場との間には、上記昇降路の振動騒音が上記中低層集合住宅側へ伝わるのを防止する防振装置がそれぞれ介在されていることを特徴とする中低層集合住宅用エレベータ装置。
【請求項２】
中低層集合住宅に隣接して昇降路が設置され、階間に位置する階段の踊り場に乗場が設けられる中低層集合住宅用エレベータ装置において、
上記昇降路と上記踊り場との間には、乗場連結部が架設されており、
上記乗場連結部には、両端部を除いて幅寸法を拡張した拡張部が設けられており、この拡張部により、上記乗場連結部の幅寸法は、上記踊り場の幅寸法よりも大きくなっていることを特徴とする中低層集合住宅用エレベータ装置。
【発明の詳細な説明】
【０００１】
【発明の属する技術分野】
この発明は、中低層集合住宅の階段部分に隣接して昇降路が設置され、階間に位置する階段の踊り場を乗場とする中低層集合住宅用エレベータ装置に関するものである。
【０００２】
【従来の技術】
近年、高齢者の増加に伴い、新設の建物への設置だけではなく、既設の建物にもエレベータを後付けする例が増えると考えられている。例えば、特開昭６１−１８８３８１号公報などにも、このような後付け用のエレベータが提案されている。
【０００３】
また、従来、いわゆる２戸１階段方式と呼ばれる中低層集合住宅には、エレベータが設置されていなかったが、今後はこのような中低層集合住宅へのエレベータの後付けの需要が高まるものと考えられている。２戸１階段方式の中低層集合住宅にエレベータを後付けする場合、居室の窓を塞がない（居住者のプライバシーを侵害しない）こと、居室又は地面の日当たりをできるだけ阻害しないこと、据付工事が簡単であることなどが要求される。
【０００４】
これらの要求を満たすため、中低層集合住宅の階段部分に隣接して昇降路を設置し、階間に位置する階段の踊り場を乗場として利用することが提案されている。また、昇降路の上部に機械室を設けると、その分だけエレベータ側の建物の高さが高くなり、日照の妨げとなるため、機械室を持たないエレベータ（機械室レスエレベータ）とすることが望ましい。
【０００５】
図７は従来の中低層集合住宅用エレベータ装置の一例を示す概略の平面図、図８は図７のＶＩＩＩ−ＶＩＩＩ線に沿う断面図である。この例では、２戸１階段方式の４階建ての中低層集合住宅１を示している。中低層集合住宅１の階段２には、踊り場３ａ〜３ｃが設けられている。これらの踊り場３ａ〜３ｃは、１．５階（１階と２階の階間）、２．５階（２階と３階の階間）及び３．５階（３階と４階の階間）にそれぞれ位置している。
【０００６】
昇降路４は、中低層集合住宅１に隣接して立設されている。中低層集合住宅１の階段２に対向する階段側壁面４ａには、１階（地上）、２．５階及び３．５階の乗場出入口５ａ〜５ｃがそれぞれ設けられている。乗場出入口５ａ〜５ｃは、それぞれ乗場の戸６により開閉される。また、１階の乗場床８から１．５階の踊り場３ａの床面までの高さＨが小さいため、１．５階には乗場出入口が設けられていない。これは、１．５階に乗場出入口を設けると、１階の乗場の戸と１．５階の乗場の戸とが寸法的に干渉する（重なり合う）ためである。乗場出入口５ｂ，５ｃと踊り場３ｂ，３ｃとの間には、それぞれ乗場連結部７が設けられている。
【０００７】
昇降路４内の最上部には、巻上機１１が配置されている。巻上機１１の綱車には、ロープ１２が巻き掛けられている。ロープ１２のかご側端部１２ａ及び重り側端部１２ｂは、それぞれ昇降路４の上部に固定されている。ロープ１２における巻上機１１とかご側端部１２ａとの間には、かご１３が吊り下げられている。かご１３の下部には、ロープ１２が巻き掛けられた一対のかご吊り車１４が設けられている。また、かご１３には、乗場の戸６に対向するかごの戸１５が設けられている。
【０００８】
ロープ１２における巻上機１１と重り側端部１２ｂとの間には、釣合重り１６が吊り下げられている。釣合重り１６の上部には、ロープ１２が巻き掛けられた重り吊り車１７が設けられている。昇降路４の下端部には、地面を掘り下げたピット部４ｂが設けられている。ピット部４ｂ内には、緩衝器１８が設置されている。
【０００９】
【発明が解決しようとする課題】
上記のように構成された従来の中低層集合住宅用エレベータ装置においては、１階の乗場床８から１．５階の踊り場３ａの床面までの高さＨの関係から、１．５階に乗場出入口が設けられていないため、２階の居住者には不便であった。また、昇降路４と踊り場３ｂ，３ｃとの間を乗場連結部７で直接連結した場合、昇降路４からの振動騒音が中低層集合住宅１側へ伝わり、居住者に不快感を与える恐れがあった。さらに、踊り場３ｂ，３ｃの幅が狭い場合には、乗場の面積が小さくなり、乗場が混雑する恐れがあった。さらにまた、昇降路４内の最上部に巻上機１１が配置されているため、作業者が巻上機１１に到達するまでに時間がかかり、保守作業に手間がかかってしまう。
【００１０】
この発明は、上記のような問題点を解決することを課題としてなされたものであり、１．５階の踊り場にも乗場を設けることができ、居室への騒音の伝達を抑制することができ、乗場面積を広くすることができ、保守作業の作業性を向上させることができる中低層集合住宅用エレベータ装置を得ることを目的とする。
【００１１】
【課題を解決するための手段】
この発明に係る中低層集合住宅用エレベータ装置は、中低層集合住宅に隣接して昇降路が設置され、階間に位置する階段の踊り場に乗場が設けられるものにおいて、昇降路と踊り場との間には、乗場連結部が架設されており、乗場連結部と昇降路及び踊り場との間には、昇降路の振動騒音が中低層集合住宅側へ伝わるのを防止する防振装置がそれぞれ介在されているものである。
【００１４】
また、この発明に係る中低層集合住宅用エレベータ装置は、中低層集合住宅に隣接して昇降路が設置され、階間に位置する階段の踊り場に乗場が設けられるものにおいて、昇降路と踊り場との間には、乗場連結部が架設されており、乗場連結部には、両端部を除いて幅寸法を拡張した拡張部が設けられており、この拡張部により、乗場連結部の幅寸法は、踊り場の幅寸法よりも大きくなっているものである。
【００１７】
【発明の実施の形態】
以下、この発明の実施の形態を図について説明する。
実施の形態１．
図１はこの発明の実施の形態１による中低層集合住宅用エレベータ装置を示す構成図である。この例では、２戸１階段方式の４階建ての中低層集合住宅１を示している。
【００１８】
中低層集合住宅１の階段２には、踊り場３ａ〜３ｃが設けられている。これらの踊り場３ａ〜３ｃは、１．５階（１階と２階の階間）、２．５階（２階と３階の階間）及び３．５階（３階と４階の階間）にそれぞれ位置している。
【００１９】
昇降路２１は、中低層集合住宅１に隣接して立設されている。中低層集合住宅１の階段２に対向する階段側壁面２１ａには、１．５階、２．５階及び３．５階の乗場出入口２０ｂ〜２０ｄがそれぞれ設けられている。昇降路２１の階段側壁面２１ａを除く他の壁面（ここでは階段側壁面２１ａに対向する壁面）２１ｂには、１階の乗場出入口２０ａが設けられている。乗場出入口２０ａ〜２０ｄは、それぞれ乗場の戸６により開閉される。乗場出入口２０ｂ〜２０ｄと踊り場３ａ〜３ｃとの間には、それぞれ乗場連結部２２が設けられている。
【００２０】
昇降路２１内の最上部には、巻上機１１が配置されている。巻上機１１の綱車には、ロープ１２が巻き掛けられている。ロープ１２のかご側端部１２ａ及び重り側端部１２ｂは、それぞれ昇降路２１の上部に固定されている。ロープ１２における巻上機１１とかご側端部１２ａとの間には、かご２３が吊り下げられている。かご２３には、１階の乗場出入口２０ａ及び他の階の乗場出入口２０ｂ〜２０ｃにそれぞれ対向する２つのかご出入口２３ａ，２３ｂが設けられている。
【００２１】
かご２３の下部には、ロープ１２が巻き掛けられた一対のかご吊り車１４が設けられている。また、かご出入口２３ａ，２３ｂは、それぞれかごの戸１５により開閉される。
【００２２】
ロープ１２における巻上機１１と重り側端部１２ｂとの間には、釣合重り１６が吊り下げられている。釣合重り１６の上部には、ロープ１２が巻き掛けられた重り吊り車１７が設けられている。昇降路２１の下端部には、地面を掘り下げたピット部２１ｃが設けられている。ピット部２１ｃ内には、緩衝器１８が設置されている。
【００２３】
図２は図１のＩＩ−ＩＩ線に沿う断面図である。昇降路２１内には、かご２３の昇降を案内する一対のかごガイドレール２４と、釣合重り１６の昇降を案内する一対の重りガイドレール２５とがそれぞれ設置されている。
【００２４】
次に、図３は図１の乗場連結部２２を示す平面図、図４は図３のＩＶ−ＩＶ線に沿う断面図である。昇降路２１の階段側壁面２１ａには、乗場連結部２２を保持する保持装置２６が設けられている。乗場連結部２２は、踊り場３ａ〜３ｃと保持装置２６との間に架設されている。また、踊り場３ａ〜３ｃ及び保持装置２６と乗場連結部２２との間には、複数の防振装置としての防振ゴム２７が介在されている。
【００２５】
さらに、乗場連結部２２には、両端部を除いて幅寸法を拡張した拡張部２２ａが設けられている。この拡張部２２ａにより、乗場連結部２２の幅寸法は、両端部を除いて踊り場３ａ〜３ｃの幅寸法よりも大きくなっている。
【００２６】
このような中低層集合住宅用エレベータ装置では、かご出入口２３ａ，２３ｂをかご２３の２方向に設け、１階の乗場出入口２０ａを階段側壁面２１ａの他の壁面２１ｂに設けたので、１階の乗場の戸６と１．５階の乗場の戸６とが干渉することがなく、１．５階にも乗場出入口２０ｂを設けることができる。従って、全階の居住者がエレベータ装置を有効に利用することができる。
【００２７】
また、踊り場３ａ〜３ｃと昇降路２１との間に乗場連結部２２を設け、この乗場連結部２２の中低層集合住宅１側及び昇降路２１側の結合部に防振ゴム２７を介在させたので、昇降路２１から居室へ伝わる振動騒音を抑えることができる。さらに、乗場連結部２２の大部分の幅寸法を、踊り場３ａ〜３ｃの幅寸法より大きくしたので、乗場面積を広くすることができ、かご２３への乗降をスムーズに行うことができる。
【００２８】
なお、実施の形態１では、１階の乗場側出入口２０ａを階段側壁面２１ａに対向する壁面２１ｂに設けたが、階段側壁面２１ａを除く壁面であれば、さらに別の壁面であってもよい。
【００２９】
実施の形態２．
次に、図５はこの発明の実施の形態２による中低層集合住宅用エレベータ装置の断面図、図６は図５のＶＩ−ＶＩ線に沿う断面図であり、図５は図６のＶ−Ｖ線に沿う断面図に相当する。また、図６では、ガイドレール、巻上機及びドア装置の図示を省略した。
【００３０】
図において、昇降路３１には、階段の踊り場３ｃとともに乗場を構成する乗場床３２が固定されている。乗場出入口３３は乗場の戸６により開閉される。昇降路３１内には、かご１３の昇降を案内するかごガイドレール２４が設置されている。かごガイドレール２４の上端部には、支持梁３４が固定されている。支持梁３４上には、ロープ１２を介してかご１３を昇降させる巻上機１１が設置されている。かご１３の上部には、かごの戸１５を開閉するためのドア装置３５が搭載されている。
【００３１】
最上階の乗場床３２の上方には、点検用床３６が設けられている。点検用床３６は、昇降路３１の壁面３１ａに固定されている。また、点検用床３６の端部には、安全用のフェンス３７が設置されている。点検用床３６の一部には、開口部３６ａが設けられている。壁面３１ａには、最上階の乗場床３２から開口部３６ａを通して点検用床３６へ上るための着脱可能な梯子３８が設けられている。
【００３２】
壁面３１ａには、点検用床３６上から巻上機１１に対する保守作業を行うための点検口３１ｂが設けられている。点検口３１ｂは、点検扉３９により開閉される。点検用床３６の上方には、天井部４０が設けられている。他の構成は、図８に示した従来例と同様である。
【００３３】
このような中低層集合住宅用エレベータ装置では、最上階の乗場床３２のさらに上方に点検用床３６を設け、この点検用床３６上から点検口３１ｂを通して巻上機１１に対する保守作業を行えるようにしたので、昇降路３１内の最上部に巻上機１１が配置されていても、保守作業を容易に行うことができる。また、ドア装置３５の保守作業も容易に行うことができる。さらに、調速機（図示せず）や昇降系の安全装置（図示せず）が、巻上機１１の近傍に配置されている場合、これらに対する保守作業も点検口３１ｂを通して容易に行うことができる。
【００３４】
また、梯子３８を着脱可能とし、保守作業時のみ設置することにより、一般の利用者が点検用床３６上に勝手に立ち入るのを防止することができる。
【００３５】
なお、実施の形態１、２では、４階建ての中低層集合住宅１を示したが、４階建てに限定されるものではない。
また、この発明のエレベータ装置は、既設の中低層集合住宅に後付けすることができるが、中低層集合住宅の新設時に同時に設置することも勿論可能である。
【００３６】
【発明の効果】
以上説明したように、この発明の中低層集合住宅用エレベータ装置は、昇降路の中低層集合住宅への結合部に防振装置を設けたので、昇降路から居室へ伝わる振動騒音を抑えることができる。また、昇降路と踊り場との間に乗場連結部を架設し、乗場連結部と昇降路及び踊り場との間にそれぞれ防振装置を介在させたので、昇降路から居室へ伝わる振動騒音をより効果的に抑えることができる。
【００４１】
また、この発明に係る中低層集合住宅用エレベータ装置は、乗場連結部の幅寸法を踊り場の幅寸法より大きくしたので、乗場面積を広くすることができ、かごへの乗降をスムーズに行うことができる。
【図面の簡単な説明】
【図１】  この発明の実施の形態１による中低層集合住宅用エレベータ装置を示す構成図である。
【図２】  図１のＩＩ−ＩＩ線に沿う断面図である。
【図３】  図１の乗場連結部を示す平面図である。
【図４】  図３のＩＶ−ＩＶ線に沿う断面図である。
【図５】  この発明の実施の形態２による中低層集合住宅用エレベータ装置の断面図である。
【図６】  図５のＶＩ−ＶＩ線に沿う断面図である。
【図７】  従来の中低層集合住宅用エレベータ装置の一例を示す概略の平面図である。
【図８】  図７のＶＩＩＩ−ＶＩＩＩ線に沿う断面図である。
【符号の説明】
１  中低層集合住宅、２  階段、３ａ〜３ｃ  踊り場、１１  巻上機、２０ａ〜２０ｄ  乗場出入口、２１，３１  昇降路、２１ａ  階段側壁面、２１ｂ  他の壁面、２２  乗場連結部、２３  かご、２３ａ，２３ｂ  かご出入口、２７  防振ゴム（防振装置）、３１ｂ  点検口、３２  乗場床、３６  点検用床、３８梯子。
【図１】
0004489879.tif 000002
【図２】
0004489879.tif 000003
【図３】
0004489879.tif 000004
【図４】
0004489879.tif 000005
【図５】
0004489879.tif 000006
【図６】
0004489879.tif 000007
【図７】
0004489879.tif 000008
【図８】
0004489879.tif 000009